(57)【要約】【課題】車両用タンクへの液体の注入作業の作業性及び注水性を向上させることができる車両用タンクを提供する。【解決手段】車両に搭載される車両用タンク１０は、タンク本体１１と、注入口２１から下方に延びてタンク本体１１に接続し、一部が伸縮可能な伸縮部２２によって構成された注入パイプ２０と、注入口２１を開閉可能に注入パイプ２０の上端に装着される蓋部材３０と、車両用タンク１０における伸縮部２２の下側に接続されて、蓋部材３０を回転可能に支持する支持部材４０とを備え、注入パイプ２０の上端における蓋部材３０の閉状態では、支持部材４０に支持された蓋部材３０によって伸縮部２２が縮んだ状態に保持され、蓋部材３０の開状態では、伸縮部２２が伸張可能となる。【選択図】図１
2016135641.tif 000002
【特許請求の範囲】
【請求項１】
車両に搭載される車両用タンクであって、
タンク本体と、
注入口から下方に延びて前記タンク本体に接続し、一部が伸縮可能な伸縮部によって構成された注入パイプと、
前記注入口を開閉可能に前記注入パイプの上端に装着される蓋部材と、
当該車両用タンクにおける前記伸縮部の下側に接続されて、前記蓋部材を回転可能に支持する支持部材とを備え、
前記注入パイプの上端における前記蓋部材の閉状態では、前記支持部材に支持された前記蓋部材によって前記伸縮部が縮んだ状態に保持され、前記蓋部材の開状態では、前記伸縮部が伸張可能となる、車両用タンク。
【発明の詳細な説明】
【技術分野】
【０００１】
本発明は、車両用タンクに関する。
【背景技術】
【０００２】
特許文献１には、車両用液体タンクが記載されている。この車両用液体タンクは、液体を収容する本体と、本体のパイプ挿入口に挿入された注入パイプとを備えている。この車両用液体タンクでは、注入パイプにその長手方向から所定値以上の荷重が作用した場合に注入パイプが本体の内部へさらに挿入されるようになっている。そのため、車体が上方から衝撃を受けて変形する際に、注入パイプがボンネット等を支えないため、注入パイプが車体の衝撃吸収性を阻害しない。
【先行技術文献】
【特許文献】
【０００３】
【特許文献１】特開２００４−２０３１０９号公報
【発明の概要】
【発明が解決しようとする課題】
【０００４】
ところで、この種の車両用タンクは、フード等のカバーによって注入パイプの高さが制限されるため、注入口の高さを注入パイプ周辺の構造物に比べて十分に高くすることができない。そのため、注入パイプ周辺の構造物が邪魔で、注入液が入った容器の注ぎ口を車両用タンクの注入口に近づけることができず、車両用タンクに液体を注入する作業を容易に行うことができない場合があった。また、注水圧力を十分に確保できず十分な注水性を確保できない場合もあった。
【０００５】
本発明は、車両用タンクへの液体の注入作業の作業性及び注水性を向上させることができる車両用タンクを提供することを目的とする。
【課題を解決するための手段】
【０００６】
第１の発明は、タンク本体と、注入口から下方に延びてタンク本体に接続し、一部が伸縮可能な伸縮部によって構成された注入パイプと、注入口を開閉可能に注入パイプの上端に装着される蓋部材と、車両用タンクにおける伸縮部の下側に接続されて、蓋部材を回転可能に支持する支持部材とを備え、注入パイプの上端における蓋部材の閉状態では、支持部材に支持された蓋部材によって伸縮部が縮んだ状態に保持され、蓋部材の開状態では、伸縮部が伸張可能となる。
【０００７】
第１の発明では、注入パイプの一部が伸縮部により構成されている。また、蓋部材は、支持部材に回転可能に支持されている。支持部材は、車両用タンクにおける伸縮部の下側に接続されている。そのため、伸縮部が伸縮しても、支持部材が車両用タンクの下側に接続された位置の高さは変化しない。支持部材は、一定の高さで蓋部材を支持可能である。注入パイプの上端において蓋部材が装着された閉状態（つまり、蓋部材によって注入口が閉じられた状態）では、支持部材に支持された蓋部材によって、伸縮部が縮んだ状態に保持される。そして、この閉状態から蓋部材を取り外した開状態では、伸縮部が伸張可能となる。
【発明の効果】
【０００８】
第１の発明では、注入パイプの上端から蓋部材を取り外した開状態で伸縮部が伸張可能となるため、車両用タンクへの液体の注入作業時に注入口の位置を高くすることが可能である。従って、注入液が入った容器の注ぎ口を車両用タンクの注入口に近づけやすくなるため、車両用タンクへの液体の注入作業の作業性を向上させることができる。また、水頭が高くなるため、注水性も向上させることができる。さらに、注入パイプを縮めた状態で収納できるため、注入パイプによる衝撃吸収性能（歩行者保護性能）への影響を抑制できる。
【図面の簡単な説明】
【０００９】
【図１】本実施の形態に係る車両用タンクの概略構成図
【図２】車両用タンクの蓋部材の裏面図
【発明を実施するための形態】
【００１０】
以下、図１−図２を参照しながら、実施の形態について詳細に説明する。
【００１１】
本実施の形態は、蓋部材の開閉に応じて注入パイプの伸縮部が伸縮する車両用タンクである。図１は、車両用タンク１０を側方から見た概略構成図である。図１（ａ）は、蓋部材３０が閉じられた閉状態の概略構成図であり、図１（ｂ）は、蓋部材３０が開けられた開状態の概略構成図である。
【００１２】
［車両用タンクの構造］
車両用タンク１０は、例えばウォッシャータンクである。車両用タンク１０は、図１に示すように、タンク本体１１と、注入パイプ２０と、蓋部材３０と、支持部材４０とを備えている。
【００１３】
注入パイプ２０は、筒状（例えば略円筒状）に形成されている。注入パイプ２０は、上端の注入口２１から下方に延びて、タンク本体１１の上面の開口に接続されている。注入パイプ２０は、タンク本体１１側よりも注入口２１側の方が、外径が大きくなっている。車両用タンク１０が車両に搭載された状態で、注入パイプ２０は上下方向に延びている。
【００１４】
注入パイプ２０の一部は、蛇腹状に形成された伸縮部２２によって構成されている。伸縮部２２は、注入パイプ２０の途中に設けられている。伸縮部２２は、弾性を有する材料（例えばゴム）により形成されている。また、注入パイプ２０の外周面には、第１支持部２３及び第２支持部２４が形成されている。なお、注入パイプ２０は、全体が上下方向に延びている必要はなく、例えば、伸縮部２２より下側で屈曲して、その屈曲箇所からタンク本体１１まで斜めに延びていてもよい。
【００１５】
第１支持部２３は、下方が開放された鉤状に形成されている。注入パイプ２０の外周面のうち伸縮部２２より上側の位置（具体的に、注入パイプ２０の上端より少し下の位置）から突出している。第１支持部２３は、後述する回転軸３３ｂを回転自在に支持する。
【００１６】
第２支持部２４は、矩形板状に形成されている。第２支持部２４は、注入パイプ２０の外周面のうち伸縮部２２より下側の位置から突出している。第２支持部２４は、注入パイプ２０の周方向において第１支持部２３と略同じ方向に突出している。第２支持部２４の先端側には、後述する第２ピン４０ｂが挿通される貫通孔２４ａが形成されている。第２支持部２４は、第２ピン４０ｂを回転自在に支持する。
【００１７】
図２は、蓋部材３０の裏面図である。図２には、支持部材４０の上端部を併せて記載している。蓋部材３０は、注入パイプ２０における伸縮部２２の上側に回転自在に接続され、注入口２１を塞ぐように注入パイプ２０の上端に装着される。蓋部材３０は、図２に示すように、注入口２１を塞ぐ本体部３１と、本体部３１の外周から延び出る延出部３２と、蓋部材３０を注入パイプ２０に回転自在に接続する接続部３３とを備えている。本体部３１、延出部３２及び接続部３３は一体形成されている。
【００１８】
本体部３１は、例えば略円板状に形成されている。本体部３１は、注入口２１よりも一回り大きい。本体部３１の裏面には、注入パイプ２０の上端に本体部３１を装着する際に注入パイプ２０の上端が嵌め込まれる凹部３１ａが形成されている。また、本体部３１には、作業者が蓋部材３０を開閉する際に摘むための摘み部３１ｂが形成されている。
【００１９】
延出部３２は、例えば略矩形板状に形成されている。延出部３２は、本体部３１の外周における摘み部３１ｂとは反対側（図２における右側）から、本体部３１の径方向に延びている。延出部３２には、延出部３２の側面間を貫通する長穴３２ａが形成されている。長穴３２ａは、第２支持部２４の貫通孔２４ａのほぼ真上の位置から、延出部３２の先端側（図２における右側）へ延びている。延出部３２では、長穴３２ａ全体が、接続部３３よりも先端側（図２における右側）に位置している。長穴３２ａの長手方向は、延出部３２の厚さ方向に垂直である。
【００２０】
接続部３３は、延出部３２の裏面（図１（ａ）における下面）に形成されている。接続部３３は、例えば、延出部３２の裏面から突出する一対の突出部３３ａと、一対の突出部３３ａの先端部の間に接続された回転軸３３ｂとを備える。回転軸３３ｂは、延出部３２の裏面に平行に延びている。回転軸３３ｂは、鉤状の第１支持部２３に嵌め込まれて保持されている。蓋部材３０は、回転軸３３ｂを中心に開閉される。本実施の形態では、第１支持部２３及び接続部３３が蓋部材３０の開閉機構を構成しているが、開閉機構は本実施の形態の構成に限定されない。
【００２１】
支持部材４０は、例えば細長い真っ直ぐな板状に形成されている。支持部材４０は、両端が可動に接続されたリンクとして機能する。具体的に、支持部材４０の上端部には、延出部３２と支持部材４０とのジョイントとして機能する第１ピン４０ａが設けられている。第１ピン４０ａは長穴３２ａに挿通されている。支持部材４０の上端部は、第１ピン４０ａによって延出部３２を回転可能に支持している。また、支持部材４０の下端部には、支持部材４０と第２支持部２４とのジョイントとして機能する第２ピン４０ｂが設けられている。第２ピン４０ｂは、貫通孔２４ａに挿通されている。支持部材４０の下端部は、第２ピン４０ｂによって第２支持部２４に接続されている。なお、第１ピン４０ａが長穴３２ａから抜け出すことを防止するために支持部材４０の上端部には抜止め部が設けられ、第２ピン４０ｂが貫通孔２４ａから抜け出すことを防止するために支持部材４０の下端部には抜止め部が設けられている。
【００２２】
［蓋部材の開閉について］
図１を参照して、蓋部材３０の開閉について説明する。
【００２３】
蓋部材３０を閉じた閉状態（蓋部材３０が注水口２１を覆う状態）から、蓋部材３０を開けた開状態（蓋部材３０が注水口２１を覆っていない状態）にする場合について説明する。閉状態では、蓋部材３０が注入パイプ２０の上端に装着され、伸縮部２２が圧縮されている。そのため、伸縮部２２の復元力によって、注入パイプ２０の上端面から蓋部材３０の裏面へ上向きの力が作用している。また、図１（ａ）に示すように、支持部材４０の第１ピン４０ａは長穴３２ａの内端（図１（ａ）における左端）に位置し、支持部材４０の延伸方向に対して長穴３２ａの長手方向が直角になっている。そのため、蓋部材３０に上向きの力が作用しても、支持部材４０に対して、長穴３２ａが形成された延出部３２を備えた蓋部材３０は移動不能である。支持部材４０は、蓋部材３０の位置を拘束することで、伸縮部２２を縮んだ状態に保持している。
【００２４】
液体の注入作業を行う作業者が、注入パイプ２０の上端から蓋部材３０を取り外す際に、図１（ａ）における時計回りに蓋部材３０を少し回転させると、支持部材４０の延伸方向に対して長穴３２ａの長手方向が斜めになり、支持部材４０に対して、蓋部材３０が上方へ移動可能になり、伸縮部２２が伸張可能な状態になる。この状態では、伸縮部２２の復元力が、注入パイプ２０の第１支持部２３から、蓋部材３０の接続部３３へ上向きに作用する。そのため、伸縮部２２が伸びる過程で、蓋部材３０が、上方へ移動しながら接続部３３の回転軸３３ｂを中心にして回転する。この過程で、第１ピン４０ａは長穴３２ａの外端へ近づいてゆく。図１（ｂ）に示すように、蓋部材３０は、最終的に略９０度回転する。第１ピン４０ａは、長穴３２ａの外端に位置している。この状態では、伸縮部２２が圧縮前の長さに戻り、注入口２１の位置が閉状態に比べて高くなる。
【００２５】
蓋部材３０を開けた開状態から、蓋部材３０を閉じた閉状態にする場合について説明する。この場合、作業者は、蓋部材３０を下方に押しながら、図１（ｂ）における反時計回りに蓋部材３０を回転させる。蓋部材３０を下方に押すことで、蓋部材３０の接続部３３から注入パイプ２０の第１支持部２３に下向きの力が作用する。そのため、蓋部材３０を回転させる過程で、伸縮部２２が圧縮されて縮む。この過程で、第１ピン４０ａは長穴３２ａの内端へ近づいてゆく。注入パイプ２０の上端に蓋部材３０が装着されて、第１ピン４０ａが長穴３２ａの内端に位置する状態では、支持部材４０の延伸方向に対して長穴３２ａの長手方向が直角になり、蓋部材３０が上方へ移動不能になる。蓋部材３０が上方へ移動不能になることで、伸縮部２２が縮んだ状態に保持される。
【００２６】
［実施の形態の効果］
本実施の形態では、注入パイプ２０の上端から蓋部材３０を取り外すと伸縮部２２が伸張するため、車両用タンク１０への液体の注入作業時に注入口２１の位置が高くなる。従って、注入液が入った容器の注ぎ口を車両用タンク１０の注入口２１に近づけやすくなるため、車両用タンク１０への液体の注入作業の作業性を向上させることができる。また、水頭が高くなるため、注水性も向上させることができる。さらに、注入パイプ２０を縮めた状態で収納できるため、注入パイプ２０による衝撃吸収性能（歩行者保護性能）への影響を抑制できる。
【００２７】
なお、注入パイプ２０の上端から蓋部材３０が取り外された際に、伸縮部２２が自動的に伸びず、伸縮部２２が手動で伸びるように伸縮部２２を構成してもよい。この場合、作業者は、蓋部材３０を開く際に、蓋部材３０を上方に引っ張りながら蓋部材３０を回転させる。これにより、接続部３３を介して注入パイプ２０が上方へ引っ張られ、伸縮部２２が伸びる。
【産業上の利用可能性】
【００２８】
本発明は、車両用タンクなどに適用可能である。
【符号の説明】
【００２９】
１０    車両用タンク
１１    タンク本体
２０    注入パイプ
２１    注入口
２２    伸縮部
３０    蓋部材
４０    支持部材
【図１】
2016135641.tif 000003
【図２】
2016135641.tif 000004